(57)【要約】【課題】採掘国、キンバリープロセスの承認、及びダイヤモンド及び他の原石の品質レーティングを示す、鉱山から市場まで、ダイヤモンド及び他の原石を検証し、ラベリングし、かつレーティングするための調整された信頼できる処理方法を与える。【解決手段】本発明は、採掘国、キンバリープロセス承認及びダイヤモンド及び他の原石の品質レーティングを示すべく、鉱山から市場まで、ダイヤモンド及び他の原石を検証し、ラベリングし、及びレーティングするためのプロセスである。このプロセスは、鉱山の内部統制プロセスの外部監査人、サイトホルダ及びダイヤモンドまたは他の原石をカット及び研磨する業者による外部監査及び関連する季刊レビューの審査及び検証を与える。【選択図】図１A
2007012073.tif 000002
【特許請求の範囲】
【請求項１】
鉱山から市場まで、ダイヤモンドを検証し、ラベリングし、かつレーティングする処理方法であって、
内部統制監視の下で、採掘場で、粗いダイヤモンドを採集する工程と、
同じ採掘ソースから採集された粗いダイヤモンドのバッチを作成するべく、内部統制の下で、採掘場で採集したダイヤモンドを仕分けする工程と、
内部統制の下で、粗いダイヤモンドのバッチをその場で販売用に提供する工程と、
粗いダイヤモンドのソースを証明し、サイトホルダに対してキンバリープロセスの承認を与える工程と、
前記サイトホルダが粗いダイヤモンドの少なくともひとつのバッチを購入し、購入したダイヤモンドのバッチを、サイトホルダの内部統制の下でカット及び研磨するために準備する工程と、
ダイヤモンドの非侵襲的識別を与えることを含む内部統制処理の下で、サイトホルダの内部カット及び研磨処理により研磨されたダイヤモンドが生成される工程と、
内部統制の下で、サイトホルダが研磨済みダイヤモンドを検証機関に送る工程であって、該検証機関はレーザーにより所有者アイコンをダイヤモンドに刻印するか、採掘国を認証しかつキンバリープロセスの承認を与えるために非侵襲的識別技術を利用し、また採掘国を認証しかつキンバリープロセスの承認を付与する書類を与えるところの工程と、
内部統制の下で、検証機関が、各研磨済みダイヤモンドを調べ、カット、色、透明度、及びカラットの品質レーティングを各研磨済みダイヤモンドに割り当てる工程と、
内部統制の下で、前記検証機関が特有の識別情報の各研磨済みダイヤモンドに対して非侵襲的識別技術を適用し、データベース内の非侵襲的識別技術からの情報を、認証番号及び各研磨済みダイヤモンドの品質レーティングと関連付ける工程と、
内部統制の下で、前記検証機関が採掘国及びカット、色、透明度及びカラットに従うキンバリープロセスの承認の肯定的記述をレポートで示す各研磨済みダイヤモンドに対する品質レポートを発行する工程と、
から成る方法。
【請求項２】
鉱山から市場まで、ダイヤモンドを検証し、ラベリングし、かつレーティングするための処理方法であって、
内部統制監視の下で、採掘場で、粗いダイヤモンドを採集する工程と、
同じ採掘ソースから採集された粗いダイヤモンドのバッチを作成するべく、内部統制の下で、採掘場で採集された粗いダイヤモンドを仕分けする工程と、
内部統制の下で、粗いダイヤモンドのバッチをその場で販売用に提供する工程と、
粗いダイヤモンドのソースを認証しかつサイトホルダに対してキンバリープロセスの承認を与える工程と、
前記サイトホルダが粗いダイヤモンドの少なくともひとつのバッチを購入し、サイトホルダの内部制御処理の下でカット及び研磨するために購入したダイヤモンドのバッチを準備する工程と、
サイトホルダが、ダイヤモンドを研磨しかつ研磨したダイヤモンドをサイトホルダに戻す第三者へ前記ダイヤモンドのバッチを送る工程であって、その処理がダイヤモンドの非侵襲的識別を与えることを含む内部制御の下で監視されるところの工程と、
内部制御の下で、サイトホルダが研磨済みダイヤモンドを検証機関に送る工程であって、前記検証機関はレーザーでダイヤモンドに所有者アイコンを刻印するか採掘国を認証しかつキンバリープロセスの承認を与える非侵襲的識別技術を使用し、また、前記検証機関は採掘国を認証しかつキンバリープロセスの承認を付与する書類を与えるところの工程と、
内部制御の下で、前記検証機関は各研磨済みダイヤモンドを調べ、カット、色、透明度及びカラットの品質レーティングを各研磨済みダイヤモンドに割り当てる工程と、
内部統制の下で、前記検証機関が特有の識別情報の各研磨済みダイヤモンドに対して非侵襲的識別技術を適用し、データベース内の非侵襲的識別技術からの情報を、認証番号及び各研磨済みダイヤモンドの品質レーティングと関連付ける工程と、
内部統制の下で、検証機関が、採掘国及びカット、色、透明度及びカラットに従うキンバリープロセスの承認の肯定的記述をレポートで示す各研磨済みダイヤモンドに対する品質レポートを発行する工程と、
から成る方法。
【請求項３】
鉱山から市場まで、ダイヤモンドを検証し、ラベリングし、レーティングする処理方法であって、
内部統制監視の下で、鉱山で粗いダイヤモンドを採集する工程と、
同じ採掘ソースから採集された粗いダイヤモンドのバッチを作成するべく、内部統制の下で鉱山で採集された粗いダイヤモンドを仕分けする工程と、
前記粗いダイヤモンドのバッチを、内部統制の下で、その場で販売用に提供する工程と、
粗いダイヤモンドのソースを購入者に対して証明する工程と、
前記購入者により、購入されたダイヤモンドのバッチがカット及び研磨される工程であって、ここで、研磨されるダイヤモンドが購入されたものと同じであることを保証するよう研磨処理が監視されるところの工程と、
内部統制の下で、購入者が研磨済みダイヤモンドを検証機関に送る工程であって、前記検証機関はダイヤモンドに所有者アイコンを刻印するか採掘国を認証しダイヤモンド採集の適用可能な国際規格への承認を与えるために非侵襲的識別技術を利用し、また採掘国を証明し規格の承認を付与する書類を与えるところの工程と、
内部統制の下で、前記検証機関が各研磨済みダイヤモンドを調べ、カット、色、透明度及びカラットの品質レーティングを各研磨済みダイヤモンドに割り当てる工程と、
内部統制の下で、前記検証機関は特有の識別情報の各研磨済みダイヤモンドに対して非侵襲的識別技術を適用し、データベース内の非侵襲的識別技術からの情報を、認証番号及び各研磨済みダイヤモンドの品質レーティングと関連付ける工程と、
内部統制の下で、検証機関が、採掘国並びに、カット、色、透明度及びカラットに従う適用可能な法的規格の承認に対する肯定的記述をレポートで示す、各研磨済みダイヤモンドに対する品質レポートを発行する工程と、
から成る方法。
【請求項４】
鉱山から市場まで、ダイヤモンドを検証し、ラベリングし、レーティングするための処理方法であって、
内部統制監視の下で、鉱山で粗いダイヤモンドを採集する工程と、
同じ採掘ソースから採集された粗いダイヤモンドのバッチを作成するべく、内部統制の下で鉱山で採集された粗いダイヤモンドを仕分けする工程と、
内部統制の下で、前記粗いダイヤモンドのバッチを、その場で販売用に提供する工程と、
粗いダイヤモンドのソースを購入者に対して証明する工程と、
前記購入者により、購入されたダイヤモンドのバッチがカット及び研磨される工程であって、ここで、研磨されるダイヤモンドが購入されたものと同じであることを保証するよう研磨処理が監視されるところの工程と、
内部統制の下で、購入者が研磨済みダイヤモンドを検証機関に送る工程であって、前記検証機関はダイヤモンドに所有者アイコンを刻印するか採掘国を認証しかつダイヤモンド採集の適用可能な国際規格への承認を与えるために非侵襲的識別技術を利用し、また採掘国を証明し規格の承認を付与する書類を与えるところの工程と、
内部統制の下で、前記検証機関が各研磨済みダイヤモンドを調べ、カット、色、透明度及びカラットの品質レーティングを各研磨済みダイヤモンドに割り当てる工程と、
内部統制の下で、前記検証機関が特有の識別情報の各研磨済みダイヤモンドに対して非侵襲的識別技術を適用し、データベース内の非侵襲的識別技術からの情報を、各研磨済みダイヤモンドの品質レーティングを記述する割り当てられた情報レコードと関連付ける工程と、
内部統制の下で、検証機関が、採掘国並びに、カット、色、透明度及びカラットに従う適用可能な法的規格の承認に対する肯定的記述をレポートで示す、各研磨済みダイヤモンドに対する品質レポートを発行する工程と、
から成る方法。
【請求項５】
鉱山から市場まで、ダイヤモンドを検証し、ラベリングし、レーティングするための処理方法であって、
採掘場での粗いダイヤモンドの採集及び採集されたダイヤモンドのバッチへの分割を監視する工程であって、そのバッチは購入者に販売用に提供され、購入者は購入したダイヤモンドのソースの証明書を受け取るところの工程と、
前記購入者により、購入されたダイヤモンドのバッチがカット及び研磨される工程であって、ここで、研磨されるダイヤモンドが購入されたものと同じであることを保証するよう研磨処理が監視されるところの工程と、
内部統制の下で、購入者が研磨済みダイヤモンドを検証機関に送る工程であって、前記検証機関は採掘国を認証するべくダイヤモンドを識別するための手段を与え、また採掘国を証明する書類を与えるところの工程と、
内部統制の下で、前記検証機関が各研磨済みダイヤモンドを調べ、カット、色、透明度及びカラットの少なくともひとつの品質レーティングを各研磨済みダイヤモンドに割り当てる工程と、
内部統制の下で、前記検証機関が特有の識別情報の各研磨済みダイヤモンドの識別手段を得て、データベース内の情報を、各研磨済みダイヤモンドの品質レーティングを記述する指定情報ソースと関連付ける工程と、
内部統制の下で、検証機関が、カット、色、透明度及びカラットの少なくとも一つに従う採掘国をレポートで示す、各研磨済みダイヤモンドに対する品質レポートを発行する工程と、
から成る方法。
【請求項６】
請求項５に記載の方法であって、前記レポートは、さらに、ダイヤモンド採集の適用可能な法的規格の承認を与える肯定的記述を含むところの方法。
【請求項７】
鉱山から市場まで、原石を検証し、ラベリングし、かつレーティングする処理方法であって、
内部統制監視の下で、採掘場で、粗い原石を採集する工程と、
同じ採掘ソースから採集された粗い原石のバッチを作成するべく、内部統制の下で、採掘場で採集した粗い原石を仕分けする工程と、
内部統制の下で、粗い原石のバッチをその場で販売用に提供する工程と、
粗い原石のソースを証明し、サイトホルダに対してキンバリープロセスの承認を与える工程と、
前記サイトホルダが粗い原石の少なくともひとつのバッチを購入し、購入した原石のバッチを、サイトホルダの内部統制の下でカット及び研磨するために準備する工程と、
原石の非侵襲的識別を与えることを含む内部統制処理の下で、サイトホルダの内部カット及び研磨処理により研磨された原石が生成される工程と、
内部統制の下で、サイトホルダが検証機関に研磨済み原石を送る工程であって、該検証機関はレーザーにより所有者アイコンを原石に刻印するか、採掘国を認証しかつキンバリープロセスの承認を与えるために非侵襲的識別技術を利用し、また採掘国を認証しかつキンバリープロセスの承認を付与する書類を与えるところの工程と、
内部統制の下で、検証機関が、各研磨済み原石を調べ、カット、色、透明度、及びカラットの品質レーティングを各研磨済み原石に割り当てる工程と、
内部統制の下で、前記検証機関が特有の識別情報の各研磨済み原石に対して非侵襲的識別技術を適用し、データベース内の非侵襲的識別技術からの情報を、認証番号及び各研磨済み原石の品質レーティングと関連付ける工程と、
内部統制の下で、前記検証機関が採掘国並びに、カット、色、透明度及びカラットに従うキンバリープロセスの承認の肯定的記述をレポートで示す各研磨済み原石に対する品質レポートを発行する工程と、
から成る方法。
【請求項８】
鉱山から市場まで、原石を検証し、ラベリングし、かつレーティングするための処理方法であって、
内部統制監視の下で、採掘場で、粗い原石を採集する工程と、
同じ採掘ソースから採集された粗い原石のバッチを作成するべく、内部統制の下で、採掘場で採集された粗い原石を仕分けする工程と、
内部統制の下で、粗い原石のバッチをその場で販売用に提供する工程と、
粗い原石のソースを認証しかつサイトホルダに対してキンバリープロセスの承認を与える工程と、
前記サイトホルダが粗い原石の少なくともひとつのバッチを購入し、サイトホルダの内部制御処理の下でカット及び研磨するために購入した原石のバッチを準備する工程と、
サイトホルダが、原石を研磨しかつ研磨した原石をサイトホルダに戻す第三者へ前記原石のバッチを送る工程であって、その処理が原石の非侵襲的識別を与えることを含む内部制御の下で監視されるところの工程と、
内部制御の下で、サイトホルダが研磨済み原石を検証機関に送る工程であって、前記検証機関はレーザーで原石に所有者アイコンを刻印するか採掘国を認証しかつキンバリープロセスの承認を与える非侵襲的識別技術を使用し、また、採掘国を認証しかつキンバリープロセスの承認を付与する書類を与えるところの工程と、
内部制御の下で、前記検証機関は各研磨済み原石を調べ、カット、色、透明度及びカラットの品質レーティングを各研磨済み原石に割り当てる工程と、
内部統制の下で、前記検証機関が特有の識別情報の各研磨済み原石に対して非侵襲的識別技術を適用し、データベース内の非侵襲的識別技術からの情報を、認証番号及び各研磨済み原石の品質レーティングと関連付ける工程と、
内部統制の下で、検証機関が、採掘国並びにカット、色、透明度及びカラットに従うキンバリープロセスの承認の肯定的記述をレポートで示す各研磨済み原石に対する品質レポートを発行する工程と、
から成る方法。
【請求項９】
鉱山から市場まで、原石を検証し、ラベリングし、レーティングする処理方法であって、
内部統制監視の下で、鉱山で粗い原石を採集する工程と、
同じ採掘ソースから採集された粗い原石のバッチを作成するべく、内部統制の下で鉱山で採集された粗い原石を仕分けする工程と、
前記粗い原石のバッチを、内部統制の下で、その場で販売用に提供する工程と、
粗い原石のソースを購入者に対して証明する工程と、
前記購入者により、購入された原石のバッチがカット及び研磨される工程であって、ここで、研磨される原石が購入されたものと同じであることを保証するよう研磨処理が監視されるところの工程と、
内部統制の下で、購入者が研磨済み原石を検証機関に送る工程であって、前記検証機関は原石に所有者アイコンを刻印するか、採掘国を認証しかつ原石採集の適用可能な国際規格への承認を与えるために非侵襲的識別技術を利用し、また採掘国を証明し規格の承認を付与する書類を与えるところの工程と、
内部統制の下で、前記検証機関が各研磨済み原石を調べ、カット、色、透明度及びカラットの品質レーティングを各研磨済み原石に割り当てる工程と、
内部統制の下で、前記検証機関は特有の識別情報の各研磨済み原石に対して非侵襲的識別技術を適用し、データベース内の非侵襲的識別技術からの情報を、認証番号及び各研磨済み原石の品質レーティングと関連付ける工程と、
内部統制の下で、検証機関が、採掘国並びに、カット、色、透明度及びカラットに従う適用可能な法的規格の承認に対する肯定的記述をレポートで示す、各研磨済み原石に対する品質レポートを発行する工程と、
から成る方法。
【請求項１０】
鉱山から市場まで、原石を検証し、ラベリングし、レーティングするための処理方法であって、
内部統制監視の下で、鉱山で粗い原石を採集する工程と、
同じ採掘ソースから採集された粗い原石のバッチを作成するべく、内部統制の下で鉱山で採集された粗い原石を仕分けする工程と、
内部統制の下で、前記粗い原石のバッチを、その場で販売用に提供する工程と、
粗い原石のソースを購入者に対して証明する工程と、
前記購入者により、購入された原石のバッチがカット及び研磨される工程であって、ここで、研磨される原石が購入されたものと同じであることを保証するよう研磨処理が監視されるところの工程と、
内部統制の下で、購入者が研磨済み原石を検証機関に送る工程であって、前記検証機関は原石に所有者アイコンを刻印するか採掘国を認証しかつ原石採集の適用可能な国際規格への承認を与えるために非侵襲的識別技術を利用し、また採掘国を証明しかつ規格の承認を付与する書類を与えるところの工程と、
内部統制の下で、前記検証機関が各研磨済み原石を調べ、カット、色、透明度及びカラットの少なくともひとつの品質レーティングを各研磨済み原石に割り当てる工程と、
内部統制の下で、前記検証機関が特有の識別情報の各研磨済み原石に対して非侵襲的識別技術を適用し、データベース内の非侵襲的識別技術からの情報を、各研磨済み原石の品質レーティングを記述する指定情報レコードと関連付ける工程と、
内部統制の下で、検証機関が、採掘国並びに、カット、色、透明度及びカラットの少なくともひとつに従う適用可能な法的規格の承認に対する肯定的記述をレポートで示す、各研磨済み原石に対する品質レポートを発行する工程と、
から成る方法。
【請求項１１】
鉱山から市場まで、原石を検証し、ラベリングし、レーティングするための処理方法であって、
鉱山での粗い原石の採集及び採集された原石のバッチへの分割を監視する工程であって、そのバッチは購入者に販売用に提供され、購入者は購入した原石のソースの証明書を受け取るところの工程と、
前記購入者により、購入された原石のバッチがカット及び研磨される工程であって、ここで、研磨される原石が購入されたものと同じであることを保証するよう研磨処理が監視されるところの工程と、
内部統制の下で、購入者が研磨済み原石を検証機関に送る工程であって、前記検証機関は採掘国を認証するべく原石を識別するための手段を与え、また採掘国を証明する書類を与えるところの工程と、
内部統制の下で、前記検証機関が各研磨済み原石を調べ、カット、色、透明度及びカラットの少なくともひとつの品質レーティングを各研磨済み原石に割り当てる工程と、
内部統制の下で、前記検証機関が特有の識別情報の各研磨済み原石の識別手段を得て、データベース内の情報を、各研磨済み原石の品質レーティングを記述する指定情報ソースと関連付ける工程と、
内部統制の下で、検証機関が、カット、色、透明度及びカラットの少なくとも一つに従う採掘国をレポートで示す、各研磨済み原石に対する品質レポートを発行する工程と、
から成る方法。
【請求項１２】
請求項１１に記載の方法であって、前記レポートは、さらに、原石採集の適用可能な法的規格の承認を与える肯定的記述を含むところの方法。
【発明の詳細な説明】
【技術分野】
【０００１】
本発明は、ダイヤモンド及びその他の宝石用原石の分野に関し、特に、ダイヤモンドまたは他の宝石用原石のソースを検証し、ダイヤモンドまたはその他の宝石用原石の品質をレーティングする処理に関する。
【背景技術】
【０００２】
ダイヤモンド及びその他の宝石用原石を採掘し、それらのソースを決定し、かつダイヤモンド及び他の原石の品質をレーティングすることは永年当業者にとって周知の処理であるが、採掘国、キンバリープロセスの承認、及びダイヤモンド及び他の原石の品質レーティングを示すために、鉱山から市場までダイヤモンド及び他の原石を検証し、ラベリングし、かつレーティングするための調整された信頼できる処理は存在しなかった。
【０００３】
以下の従来技術は本発明に関連する文献である。
【特許文献１】“Gemstone Identification, Tracking And Recovery System”と題するHermann F. Wallnerらによる1992年6月23日発行の米国特許第5,124,935号（Omphalos Recovery Systems Inc.に譲渡済み）
【特許文献２】“Laser Marking System”と題するGeorge R. Kaplanらによる1999年8月3日発行の米国特許第5,935,119号（Lazare Kaplan International, Inc.に譲渡済み）
【特許文献３】“Automated Gemstone Evalution System”と題するPeter J. Malnekoffによる2001年10月16日発行の米国特許第6,304,853号
【特許文献４】“Method Of Determining The Authenticity And The Geographical Origin Of Gemstones Such As Beryls”と題するOdile Barresらによる2003年2月4日発行の米国特許第6,515,738号（Mauboussin Successeur de Nouryに譲渡済み）
【特許文献５】“Customizing Objects And Materials With Digital Identifiers”と題するJayant Neogiによる2003年6月26日発行の米国公開特許出願第2003/0120613号
【特許文献６】“Method For Marking Gemstones With A Unique Micro Discrete Indicia”と題するDavid L. Pattonによる2003年9月23日発行の米国特許第6,624,385号（Eastman Kodak Companyに譲渡済み）
【特許文献７】“Method And Apparatus For Identifying Gemstones”と題するMalcom Raymond Warwickによる2003年12月4日発行の米国公開特許出願第2003/0223054号
【特許文献８】“Method And Article Of Manufacture For Identifying And Tracking Rough Gemstones”と題するJohn L. Bishopによる2004年6月17日発行の米国公開特許出願第2004/0112087号
【特許文献９】“Method For Digital Color Grading Of Gems And Communication Thereof”と題するMenahem Sevdermishによる2005年7月7日発行の米国公開特許出願第2005/0149369号
【特許文献１０】“Microinscribed Gemstone”と題するGeorge R. Kaplanによる2006年3月14日発行の米国特許第7,010,938号（Lazare Kaplan International, Inc.に譲渡済み）
【特許文献１１】“Customizing Objects And Materials With Digital Identifiers”と題するJayant Neogiによる2002年2月7日発行の国際公開第WO02/11031号（Norsam Technologies, Inc.に譲渡済み）
【特許文献１２】“Method And Article Of Manufacture For Identifying And Tracking Rough Gemstones”と題するJayant Neogiによる2002年2月7日発行の国際公開第WO02/11091号（Norsam Technologies, Inc.に譲渡済み）
【０００４】
Wollner特許は、原石の光学応答を記録する視覚的機械を使って、原石を効果的に記録及び回復するための装置を開示し、ここで光学応答は効果的なデータベース検索を可能にする方法で分類するために中央データベースへ送られる。視覚的機械は原石の光学応答を連続的に走査し、原石の光学応答の正確な記録を与える。盗まれたことが中央データベースへ報告された原石は、別々のデータベースに複製されたレコードを有し、記録した原石の光学応答との一致を可能にするべく、それは警察及びその他の実行機関により遠隔的に検索可能である。
【０００５】
‘119Kaplan特許は、レーザーマーキング装置を開示する。その概念は、ダイヤモンドに特有なマーク特徴をマークし、その特有な特徴をデータベースに記録するものであり、同じマーク特徴が他のダイヤモンドに繰返しマークされることはない。
【０００６】
Malnekoff特許は、特定の宝石に関するすべての情報を有する個人が、その情報を発明者のデータベースへ入力することにより、その情報によりデータベースは宝石のオーナーに対して宝石のカットタイプ、重量、透明度、色及びカットプロポーションに関する情報に基づいて宝石の価値評価を与える。会社の中央処理装置は、ユーザーによりシステムに供給されたカットタイプ、重量、色及び透明度のデータ値の少なくとも一部に基づいて初期価格を作成し、宝石内の２つまたはそれ以上の変量に基づいて調節された価格を作成する。
【０００７】
Barres特許は緑柱石のような原石の認証及び採掘地を決定する方法に関する。この場合、発明は、以下のステップから成る結晶構造の認証及び採掘地を決定する方法により達成される。すなわち、当該方法は、原石に電磁的ビームを印加する工程と、結晶の特徴的アクセスに対して所定の吸収方向にビームの波長に対する原石の吸収率に関連する値を決定する工程と、これらの値間の少なくともひとつの比率を計算する工程と、その比率を所定の認証及び採掘地の原石である対応する比率と比較する工程とから成る。
【０００８】
Neogi特許は、原石及び貴金属のような採掘材料物質をマークし、識別し、カスタマイズし、かつ追跡するための方法及び装置の概念を与える。
【０００９】
Patton特許は、原石に微小不連続の証印を与えるための方法を開示し、その方法は、
原石を与える工程と、
原石上の面積を微小不連続の証印の位置として選択する工程と、
近視野オプティクスを使って、原石上に微小不連続の証印を形成する工程と、
から成る。
【００１０】
開示された近視野オプティクスに関して、明らかにダイヤモンドのテーブル上に存在する特有な微小不連続の証印15を形成するための装置10が図１に示されている。証印15はイメージ27を含むマスク25を通じて光源45からの光を透過させることにより原石上に作成される。励起装置のようなさまざまなレーザー光源45からの光線40、または二重周波数Nd:YAGレーザーがマスク27を通過し、レンズ55を通過して鏡50により反射され、対物レンズ66を通過し、固体油浸レンズ(SIL)65に衝突する。ステージ70上に載置された原石は、臨界距離F内に配置される。このようなシステムからのイメージは、古典的な微分限界を超える横方向の空間解像度を有する。光線75は対物レンズ60を通過し、固体油浸レンズ65に衝突する。したがって、この処理により、原石内に特定数が刻まれる。
【００１１】
Warwick公開特許は、原石内部の含有物の幾何学的位置に関する情報を得るための装置に関し、それは、原石上または内部のひとつまたはそれ以上の評価点に対する原石内部のひとつまたはそれ以上の選択した含有物までの距離及び位置を測定するための手段、及びそのデータを収集し、コンパイルし、解析するためのモニター装置から成る。第５欄項目６８を参照すると、「例えば、採掘会社は粗い原石の分析を実行しそれを最初のオリジナルモデルまたはプロファイルとし、そのコピーがその後すべての後続の製造工程を通じて下流側に（おそらく最終的に消費者まで）運ばれる。」と記載されている。管轄内で採掘されたダイヤモンドのプログラムをモニターし承認を与える政府当局は、第２のモデルを生成するか、または粗い原石の挽かれた部分の第２モデルを生成する製造者を有してもよい。方法は上記した幾何学的空間の距離を測定することに関する。
【００１２】
Bishop公開特許は原石をマーキング及び識別し、その後選択した原石を取外し可能なケースに収納する方法を開示する。識別子は、ケースの化学組成、タグ、ロゴ若しくは同様のマーク、またはバーコード、マトリクス又はデータグラフのような符号化識別子である。情報は原石の採掘地、独自性、所有の連鎖及びオーナーに関連する。明細書の項目11に記載されるように、採掘された原石に関する情報は、商標またはロゴの形式で存在する原石のソース、原石のグレード、原石が抽出された鉱山、生じた処理、所有連鎖、特定の石に関するシリアル番号及びその他の関連情報を含む。この目的のため、原石は好適にポリマー物質から成る取外し可能なケースに収納される。ケースは、マイクロタグにより指紋を取られるか、またはマクロタグがレーザー、イオンビーム等により符号化されてもよい。この場合のコンセプトは、採掘された物質に符号を与え、その符号に識別子を付加し、その後採掘された物質が符号に含まれるように符号にキュアを適用することである。
【００１３】
Sevdermish公開特許は、原石のデジタルカラー格付け方法に関する。この発明の概念は、さまざまな原石形状、形状ごとのさまざまな使用等に関する情報を含む格納された情報を有し、原石形状の画像を選択した視野で表示するデータベース、及びユーザーが格付けされている原石と一致する原石形状をデータベースから選択することができるようにするデータプロセッサを有することである。
【００１４】
’938Kaplan特許はミクロ彫刻された原石に関する。請求項１には、ダイヤモンドの被研磨面上に複数のレーザーで生成された黒鉛化スポットから成るミクロ彫刻マークを有するダイヤモンドであって、各スポットは約１０ミクロン以下の深さ及び約９ミクロン以下の幅を有し、マークを形成する各々の黒鉛化スポット位置の正確性は約±１ミクロン以内であるところのダイヤモンドが記載されている。この発明は図面に示されるようにテーブルの最初でダイヤモンドを有効にミクロ彫刻する。
【００１５】
’031Neogi国際特許は2003年6月に発行された上記Neogiの米国特許出願と本質的に同一である。
【００１６】
’091Neogi国際特許は上記国際公開されたものと異なり、2002年2月に公開されたNeogi出願と比較し、2004年6月に公開された上記Bishop公開特許と対称的である。
【発明の開示】
【発明が解決しようとする課題】
【００１７】
本発明の目的は、採掘国、キンバリープロセスの承認、及びダイヤモンド及び他の原石の品質レーティングを示す、鉱山から市場まで、ダイヤモンド及び他の原石を検証し、ラベリングし、かつレーティングするための調整された信頼できる処理方法を与えることである。
【００１８】
本発明は、採掘国、キンバリープロセスの承認及びダイヤモンドの品質レーティングのすべてまたは任意の部分を示すべく、鉱山から市場まで、ダイヤモンドを検証し、ラベリングし、かつレーティングするための処理である。処理は、外部監査の検閲及び検証、鉱山の内部統制処理の外部監査による検閲、サイトホルダ、カット及び研磨業者の内部統制の外部監査検閲、及びカット及び研磨業者により使用される非侵襲的ダイヤモンド識別技術の検閲及び検証のすべてまたは任意の一部に与えられる。
【課題を解決するための手段】
【００１９】
本発明は、採掘国、キンバリープロセスの承認及び原石の品質レーティングのすべてまたは任意の部分を示すべく、鉱山から市場まで、原石を検証し、ラベリングし、かつレーティングするための処理である。処理は、外部監査の検閲及び検証、鉱山の内部統制処理の外部監査による検閲、サイトホルダ、カット及び研磨業者の内部統制の外部監査検閲、及びカット及び研磨業者により使用される非侵襲的原石識別技術の検閲及び検証のすべてまたは任意の一部に与えられる。
【００２０】
他の新規な特徴及び他の目的は、図面と関連した以下の詳細な説明から明らかとなる。
【発明を実施するための最良の形態】
【００２１】
本発明の特定の実施例が図面を参照して説明されるが、この実施例は例示に過ぎず、本発明の原理を応用する多くの可能な実施例のうちのいくつかである。さまざまな変更及び修正が当業者には自明であり、それらは特許請求の範囲に定義された本発明の思想、態様及び予想の範囲内である。
【００２２】
本発明は、採掘国、キンバリープロセス認証制度（ダイヤモンドの採集及び分配に対する国際的自発規格を構成するもの）及びダイヤモンドの品質レーティングを示すべく、鉱山から市場まで、ダイヤモンドを検証し、ラベリングし、かつレーティングするための処理である。
【００２３】
図１のブロック図を参照すると、処理ブロック1の第１ステップでは、採掘業者が内部統制処理の下で、鉱山で粗いダイヤモンドを採集する。処理ブロック2の第２ステップでは、採掘業者が内部統制処理の下で同じソースからバッチを作成するべく粗いダイヤモンドを仕分けする。処理ブロック3の第３ステップでは、採掘業者が内部統制処理の下で販売用のバッチからその場で売り物を選択する。処理ブロック4の第４ステップでは、採掘業者が、ダイヤモンドのソースの認証及びキンバリープロセス認証制度の承認を得る。認証はサイトホルダへ提供と同時に与えられる。処理ブロック5の第５ステップでは、サイトホルダが、購入した粗いダイヤモンドを仕分けし、内部統制処理の下でカット及び研磨するためにそれを送る。処理の第６ステップは２つの択一的コースを有する。ひとつの択一的コースであるブロック6は、カット及び研磨がサイトホルダの統制の下にある場合に呼び出される。この場合、処理は内部統制処理の下で研磨されたダイヤモンドを生成する。第２の択一的コースであるブロック7は、カット及び研磨が第三者により実行される場合、第三者のカット及び研磨業者により研磨されたダイヤモンドを生成し、内部統制処理の下で研磨済みダイヤモンドを戻すものである。ブロック6及び7のそれぞれのケースにおいて、内部統制処理は非侵襲的識別技術によりサポートされてもよい。
【００２４】
ブロック8の第７ステップでは、第６ステップで択一的コースが使用されたかと無関係に、サイトホルダが研磨済みダイヤモンドを検証機関へ送る。検証機関は、ダイヤモンドが採掘された特定の国を識別する一連の所有者アイコンを使用できる、それは、検証機関が研磨済みダイヤモンドの添付書類及び／またはブロック6及び7で使用される非侵襲的識別技術によりサポートされるキンバリープロセスの承認を決定した後に、レーザーにより適当なアイコンを各ダイヤモンドに刻印したものである。もし以前に非侵襲的識別技術がダイヤモンドに適用されていなければ、このステップで初めて適用されてもよい。このステップは内部統制処理の下で実行される。
【００２５】
ブロック9の第８ステップでは、検証機関が各研磨済みダイヤモンドを調べ、カット、色、透明度及びカラットに対する品質レーティングを内部統制処理の下で割り当てる。
【００２６】
ブロック10の第９ステップでは、検証機関が特有な識別の各研磨済みダイヤモンドに対して非侵襲的識別技術を適用し、データベース内の対応するイメージをダイヤモンド品質報告の認証番号と関連付ける。このステップは内部統制処理の下で実行される。
【００２７】
ブロック11の第１０ステップでは、検証機関が、採掘国並びに、カット、色、透明度及びカラットに関する情報に従うキンバリープロセスの承認の肯定的記述をレポートで示す研磨済みダイヤモンドに関する品質レポートを発行する。このステップは、内部統制処理の下で実行される。
【００２８】
最終的な適当な注意ステップとして、検証機関は、外部監査及び、鉱山、サイトホルダ及びカット及び研磨業者の内部統制処理の外部監査による関連した季刊レビューを審査し、検証する。
【００２９】
本発明はダイヤモンドについての使用に関して説明されてきたが、ルビー、エメラルド、サファイア及び準貴石などのあらゆるひとつまたはそれ以上の着色された原石のような他の任意の種類の原石にも応用可能である。
【００３０】
他に、本発明は、採掘から市場まで、採掘国、キンバリープロセス（ダイヤモンドの収集及び分配についての国際的自発規格を構成するもの）の承認及び原石の品質レーティングを示すべく、原石を検証、ラベリング及びレーティングするための処理である。
【００３１】
図２のブロック図を参照して、ブロック1Aのステップ１では、採掘業者が鉱山で内部統制処理の下で粗いダイヤモンドを採集する。ブロック2Aのステップ２では、採掘業者が、内部統制処理の下で同じソースからバッチを作成するべく粗い原石を仕分けする。ブロック3Aのステップ３では、採掘業者が、内部統制処理の下でその場で販売用バッチから売り物を選ぶ。ブロック4Aのステップ４では、採掘業者が、原石のソースを証明し、キンバリープロセス認証制度の承認を得る。この認証はサイトホルダへ提供とともに与えられる。ブロック5Aのステップ５では、サイトホルダは購入した粗い原石を仕分けし、内部統制処理の下でカット及び研磨のために粗い原石を送る。第６ステップは２つの択一的コースを有する。ブロック6Aで示されるひとつのコースは、カット及び研磨がサイトホルダの統制の下にあれば呼び出される。この場合、処理は、内部統制処理の下で研磨された原石を生成する。ブロック7Aで示される第２のコースは、カット及び研磨が第三者により実行される場合であり、第三者のカット及び研磨業者は研磨された原石を生成した後、内部統制処理の下で研磨済み原石を戻す。ブロック6A及び7Aにより表されるいずれかのケースにおいて、内部統制処理は非侵襲的識別技術によりサポートされてもよい。
【００３２】
ブロック8Aのステップ７では、択一的コースがステップ６で使用されたかとは無関係に、サイトホルダは研磨済み原石を検証機関に送る。検証機関は、原石が採掘された特定の国を識別する一連の所有者アイコンを使用できる。それは、検証機関が研磨済み原石の添付書類及び／またはブロック6A及び7Aで使用された非侵襲的識別技術によりサポートされるようなキンバリープロセスの承認を決定した後に、レーザーにより各原石上に刻印される適当なアイコンである。もし以前に非侵襲的識別技術が原石に適用されていなければ、このステップで初めて適用されてもよい。このステップは内部統制処理の下で実行される。
【００３３】
ブロック9Aのステップ８では、検証組織は各研磨済み原石を調べ、内部統制処理の下で、カット、色、透明度及びカラットに対する品質レーティングを割り当てる。
【００３４】
ブロック10Aのステップ９では、検証機関は特有の識別の各研磨済み原石に対して非侵襲的識別技術を適用し、データベース内の対応するイメージをダイヤモンド品質レポートの認証番号と関連付ける。このステップは内部統制処理の下で実行される。
【００３５】
ブロック11Aのステップ１１では、検証機関が、採掘国並びに、カット、色、透明度及びカラットに関する情報に従うキンバリープロセスの承認に対する肯定的記述をレポートで示した各研磨済み原石に対する品質レポートを発行する。このステップは内部統制処理の下で実行される。
【００３６】
最後の適当な注意ステップとして、検証機関は、外部監査及び、鉱山、サイトホルダ及びカット及び研磨業者の内部統制処理の外部監査による関連した季刊レビューを審査及び検証する。
【００３７】
詳細に定義すれば、本発明は採掘から市場まで、ダイヤモンドを検証し、ラベリングし、レーティングするための処理であり、当該処理は、(a)内部統制監視の下で、鉱山で粗いダイヤモンドを採集する工程と、(b)同じ鉱山から採集された粗いダイヤモンドのバッチを作成するべく内部統制の下で鉱山で採集された粗いダイヤモンドを仕分けする工程と、(c)内部統制の下で、その場で粗いダイヤモンドのバッチを販売用に提供する工程と、(d)粗いダイヤモンドのソースを証明し、かつサイトホルダに対してキンバリープロセスの承認を与える工程と、(e)サイトホルダが粗いダイヤモンドの少なくともひとつのバッチを購入し、サイトホルダの内部統制処理に基づいてカット及び研磨のために購入したダイヤモンドのバッチを準備する工程と、(f)サイトホルダ内部のカット及び研磨処理がダイヤモンドの非侵襲的識別を与えることを含む内部統制処理の下で、研磨済みダイヤモンドを生成する工程と、(g)内部統制の下で、サイトホルダが研磨済みダイヤモンドを検証機関に送る工程であって、検証機関はレーザーにより所有者アイコンをダイヤモンドに刻印するか、採掘国を認証しかつキンバリープロセスを承認する非侵襲的識別技術を使用し、また採掘国を証明しかつキンバリープロセスの承認を付与する書類を与えるところの工程と、(h)内部統制の下で、検証機関が研磨済みダイヤモンドを調べ、各研磨済みダイヤモンドに対してカット、色、透明度及びカラットに関する品質レーティングを割り当てる工程と、(i)内部統制の下で、検証機関が特有の識別情報の各研磨済みダイヤモンドに対して非侵襲的識別技術を適用し、データベース内の非侵襲的識別技術からの情報を各研磨済みダイヤモンドの認証番号及び品質レーティングに関連付ける工程と、(j)内部統制の下で、検証機関が採掘国並びに、カット、透明度及びカラットに従うキンバリープロセスの承認に対する肯定的記述をレポートで示す各研磨済みダイヤモンドの品質レポートを発行する工程と、から成る。
【００３８】
他の詳細な定義によれば、本発明は採掘から市場まで、ダイヤモンドを検証し、ラベリングしかつレーティングするための処理であり、当該処理は、(a)内部統制監視の下で、粗いダイヤモンドを採集する工程と、(b)同じソースの鉱山から採集された粗いダイヤモンドのバッチを作成するべく内部統制の下で採集された粗いダイヤモンドを仕分けする工程と、(c)内部統制の下で、粗いダイヤモンドのバッチをその場で販売用に提供する工程と、(d)粗いダイヤモンドのソースを認証しかつサイトホルダに対してキンバリープロセスの承認を与える工程と、(e)サイトホルダが粗いダイヤモンドの少なくとも一つのバッチを購入し、サイトホルダの内部統制処理の下で、購入したダイヤモンドのバッチをカット及び研磨のために準備する工程と、(f)サイトホルダがダイヤモンドのバッチを第三者に送る工程であって、該第三者はダイヤモンドを研磨し、研磨済みのダイヤモンドをサイトホルダに戻し、内部統制の下で監視された処理はダイヤモンドの非侵襲的識別を与えることを含むところの工程と、(g)内部統制の下で、サイトホルダが検証機関に研磨済みダイヤモンドを送る工程であって、検証機関はレーザーにより所有者アイコンをダイヤモンドに刻印するか、採掘国を証明しかつキンバリープロセスを承認する非侵襲的識別技術を利用するものであり、また採掘国を証明しかつキンバリープロセスを承認する書類を与えるところの工程と、(h)内部統制の下で、検証機関は各研磨済みダイヤモンドを調べ、カット、色、透明度及びカラットに関する品質レーティングを各研磨済みダイヤモンドに割り当てる工程と、(i)内部統制の下で、検証機関が特有の識別情報の各研磨済みダイヤモンドに対して非侵襲的識別技術を適用し、かつデータベース内の非侵襲的識別技術からの情報を各研磨済みダイヤモンドの認証番号及び品質レーティングと関連付ける工程と、(j)内部統制の下で、検証機関が、採掘国並びに、カット、色、透明度及びカラットに従うキンバリープロセスの承認に対する肯定的記述をレポートで示す各研磨済みダイヤモンドの品質レポートを発行する工程とから成る。
【００３９】
より広く定義すれば、本発明は、採掘から市場までダイヤモンドを検証し、ラベリングし、かつレーティングするための処理であり、当該処理は(a)鉱山で内部統制監視の下で粗いダイヤモンドを採集する工程と、(b)同じ採掘ソースから採集された粗いダイヤモンドのバッチを作成するべく内部統制の下で採集された粗いダイヤモンドを仕分けする工程と、(c)内部統制の下で、粗いダイヤモンドのバッチをその場で販売用に提供する工程と、(d)購入者に対して、粗いダイヤモンドのソースを証明する工程と、(e)購入されたダイヤモンドのバッチが購入者によりカット及び研磨される工程であって、研磨されているダイヤモンドが購入したものと同じダイヤモンドであることを保証するように研磨処理が監視されるところの工程と、(f)内部統制の下で、購入者が検証機関に研磨済みダイヤモンドを送る工程であって、検証機関はダイヤモンドに所有者アイコンをレーザーで刻印するか、採掘国を認証しかつダイヤモンドを採集するために適用可能な国際規格を承認する非侵襲的識別技術を利用し、また採掘国を証明しかつ規格を承認する書類を与えるところの工程と、(g)内部統制の下で、検証機関は各研磨済みダイヤモンドを調べ、かつ、カット、色及びカラットに関する品質レーティングを各研磨済みダイヤモンドに割り当てる工程と、(h)内部統制の下で、検証機関は特有の識別情報の各研磨済みダイヤモンドに対して非侵襲的識別技術を適用し、データベース内の非侵襲的識別技術からの情報を各研磨済みダイヤモンドの認証番号及び品質レーティングと関連付ける工程と、(i)内部統制の下で、検証機関が採掘国並びに、カット、色、透明度及びカラットに従う適用可能な法的規格の承認に対する肯定的記述をレポートで示す各研磨済みダイヤモンドに対する品質レポートを発行する工程とから成る。
【００４０】
より広く定義すれば、本発明は鉱山から市場まで、ダイヤモンドを検証し、ラベリングし、かつレーティングするための処理であり、当該処理は、(a)内部統制監視の下で、鉱山で粗いダイヤモンドを採集する工程と、(b)同じ採掘ソースから採集された粗いダイヤモンドのバッチを作成するべく内部統制の下で採集された粗いダイヤモンドを仕分けする工程と、(c)内部統制の下で、粗いダイヤモンドのバッチをその場で販売用に提供する工程と、(d)購入者に粗いダイヤモンドのソースを証明する工程と、(e)ダイヤモンドの購入されたバッチが購入者によりカット及び研磨される工程であって、研磨されたダイヤモンドが購入されたものと同じダイヤモンドであることを保証するために、研磨処理が監視されるところの工程と、(f)内部統制の下で、購入者が研磨済みのダイヤモンドを検証機関に送る工程であって、検証機関はレーザーによりダイヤモンドに所有者のアイコンを刻印するか、採掘国の認証及びダイヤモンドを採集するために適用可能な国際規格の承認を与えるべく非侵襲的な識別技術を使用し、また採掘国を証明し規格を承認する書類も与えるところの工程と、(g)内部統制の下で、検証機関は各研磨済みダイヤモンドを調べ、カット、色、透明度及びカラットの少なくともひとつの品質レーティングを各研磨済みダイヤモンドに対して割り当てる工程と、(h)内部統制の下で、検証機関が特有の識別情報の各研磨済みダイヤモンドに対して非侵襲的識別技術を適用し、データベース内の非侵襲的識別技術からの情報を各研磨済みダイヤモンドの品質レーティングを記述する指定情報レコードと関連付ける工程と、(i)内部統制の下で、検証機関が採掘国並びにカット、色、透明度及びカラットの少なくともひとつのに従う適用可能な法的規格の承認に対する肯定的記述をレポートで示す各研磨済みダイヤモンドに対する品質レポートを発行する工程とから成る。
【００４１】
より広く定義すれば、本発明は、鉱山から市場まで、ダイヤモンドを検証し、ラベリングし、レーティングする処理であり、当該処理は(a)鉱山で粗いダイヤモンドの採集及び採集されたダイヤモンドをバッチに分割するのを監視する工程であって、その後そのバッチは購入者に販売用に提供され、購入者は購入したダイヤモンドのソースの証明を受け取るところの工程と、(b)ダイヤモンドの購入されたバッチが購入者によりカット及び研磨される工程であって、研磨されたダイヤモンドが購入されたものと同じダイヤモンドであることを保証するべく研磨処理が監視されるところの工程と、(c)内部統制の下で、購入者が研磨済みダイヤモンドを検証機関へ送る工程であって、検証機関は採掘国を認証するためにダイヤモンドを識別する手段を与え、採掘国を証明する書類を与えるところの工程と、(d)内部統制の下で、検証機関は各研磨済みダイヤモンドを調べ、カット、色、透明度及びカラットの少なくともひとつの品質レーティングを各研磨済みダイヤモンドに割り当てる工程と、(e)内部統制の下で、検証機関が特有の識別情報の各研磨済みダイヤモンドの識別手段を得て、データベース内の情報を、各研磨済みダイヤモンドの品質レーティングを記述する指定した情報ソースと関連付ける工程と、(f)内部統制の下で、検証機関が、カット、色、透明度及びカラットの少なくともひとつに従う採掘国をレポートで示す各研磨済みダイヤモンドに対する品質レポートを発行する工程とから成る。
【００４２】
他の詳細な定義によれば、本発明は、鉱山から市場までダイヤモンドを検証し、ラベリングしかつレーティングするための処理であり、当該処理は(a)内部統制監視の下で、採掘場で粗い原石を採集する工程と、(b)同じ採掘ソースから採集された粗い原石のバッチを作成するべく内部統制の下で鉱山で採集された粗い原石を仕分けする工程と、(c)内部統制の下で、粗い原石のバッチをその場で販売用に提供する工程と、(d)粗い原石のソースを証明しかつサイトホルダに対してキンバリープロセスの承認を与える工程と、(e)サイトホルダが粗い原石の少なくともひとつのバッチを購入し、かつサイトホルダの内部統制処理の下でカット及び研磨するために購入した原石のバッチを準備する工程と、(f)サイトホルダの内部カット及び研磨処理が内部統制処理の下で研磨された原石を生成する工程であって、その処理は原石の非侵襲的識別を与える工程を含むところの工程と、(g)内部統制の下で、サイトホルダが研磨済み原石を検証機関に送る工程であって、当該検証機関は原石に所有者アイコンをレーザーで刻印するか採掘国を認証しかつキンバリープロセスを承認する非侵襲的識別技術を利用し、また採掘国を証明しかつキンバリープロセスを承認する書類を与えるところの工程と、(h)内部統制の下で、検証機関が各研磨済み原石を調べ、カット、色、透明度及びカラットに関する品質レーティングを各研磨済みダイヤモンドに割り当てる工程と、(i)内部統制の下で、検証機関が特有の識別情報の各研磨済み原石に対して非侵襲的識別技術を適用し、データベース内の非侵襲的識別技術からの情報を、認証番号及び各研磨済み原石の品質レーティングと関連付ける工程と、(j)内部統制の下で、検証機関が採掘国並びにカット、色、透明度及びカラットに従うキンバリープロセスの承認の肯定的記述をレポートで示す各研磨済み原石の品質レポートを発行する工程とから成る。
【００４３】
他の詳細な定義によれば、本発明は鉱山から市場まで、原石を検証し、ラベリングし、レーティングするための処理であり、当該処理は、(a)内部統制監視の下で、鉱山で粗いダイヤモンドを採集する工程と、(b)同じ採掘ソースから採集された粗いダイヤモンドのバッチを作成するべく内部統制の下で採掘された粗いダイヤモンドを仕分けする工程と、(c)内部統制の下で、粗いダイヤモンドのバッチをその場で販売用に提供する工程と、(d)粗いダイヤモンドのソースを証明し、サイトホルダに対してキンバリープロセスの承認を与える工程と、(e)サイトホルダが粗いダイヤモンドの少なくともひとつのバッチを購入し、サイトホルダの内部統制の下でカット及び研磨するために購入した原石のバッチを準備する工程と、(f)サイトホルダが原石のバッチを第三者に送る工程であって、該第三者は原石を研磨し研磨済みの原石をサイトホルダに戻し、その処理が内部制御の下で監視され、それは原石の非侵襲的識別を与える工程を含むところの工程と、(g)内部統制の下で、サイトホルダが検証機関へ研磨済み原石を送る工程であって、検証機関は所有者アイコンをレーザーで研磨済み原石に刻印するか採掘国を証明しかつキンバリープロセスの承認を与える非侵襲的識別技術を利用し、また採掘国を証明しかつキンバリープロセスを承認する書類を与えるところの工程と、(h)内部統制の下で、検証機関は各研磨済み原石を調べ、カット、色、透明度及びカラットに関する品質レーティングを各研磨済み原石に割り当てる工程と、(i)内部統制の下で、検証機関が特有の識別情報の各研磨済み原石に対して非侵襲的識別技術を適用し、データベース内の非侵襲的識別技術からの情報を、認証番号及び各研磨済み原石の品質レーティングと関連付ける工程と、(j)内部統制の下で、検証機関が採掘国並びにカット、色、透明度及びカラットに従うキンバリープロセスの承認に対する肯定的記述をレポートで示す各研磨済みダイヤモンドの品質レポートを発行する工程とから成る。
【００４４】
他のより広い定義によれば、本発明は鉱山から市場まで、原石を検証し、ラベリングし及びレーティングする処理であり、当該処理は、(a)内部統制監視の下で、鉱山で粗い原石を採集する工程と、(b)同じ鉱山から採集された粗い原石のバッチを作成するべく内部統制の下で採集された粗い原石を仕分けする工程と、(c)内部統制の下で粗い原石のバッチをその場で販売用に提供する工程と、(d)粗い原石のソースを購入者に対して証明する工程と、(e)購入者により、購入した原石のバッチがカット及び研磨される工程であって、研磨済み原石が購入したものと同一であることを保証するよう研磨処理が監視されるところの工程と、(f)内部統制の下で、購入者が研磨済みダイヤモンドを検証機関へ送る工程であって、該検証機関はレーザーにより所有者アイコンを原石に刻印するか、採掘国を証明しかつ採集した原石に適用可能な国際規格の承認を与える非侵襲的識別技術を利用し、また採掘国を証明しかつ規格を承認する書類を与えるところの工程と、(h)内部統制の下で、検証機関が各研磨済み原石を調べ、カット、色、透明度及びカラットに関する品質レーティングを各研磨済み原石に割り当てる工程と、(i)内部統制の下で、検証機関が特有の識別情報の各研磨済み原石に対して非侵襲的識別技術を適用し、データベース内の非侵襲的識別技術からの情報を、認証番号及び各研磨済み原石の品質レーティングに関連付ける工程と、(j)内部統制の下で、検証機関が採掘国並びにカット、色、透明度及びカラットに従う適用可能な法的規格の承認に対する肯定的記述をレポートで示す各研磨済みダイヤモンドの品質レポートを発行する工程とから成る。
【００４５】
その他のより広い定義によれば、本発明は、鉱山から市場まで、原石を検証し、ラベリングし及びレーティングするための処理であり、当該処理は(a)内部統制監視の下で、鉱山で粗い原石を採集する工程と、(b)同じ採掘ソースから採集された粗い原石のバッチを作成するべく内部統制の下で採集された粗い原石を仕分けする工程と、(c)内部統制の下で、粗い原石のバッチをその場で販売用に提供する工程と、(d)購入者に粗い原石のソースを証明する工程と、(e)購入者により、購入された原石のバッチがカット及び研磨される工程であって、研磨された原石が購入したのと同じであることを保証するために研磨処理が監視されるところの工程と、(f)内部統制の下で、購入者が研磨済みの原石を検証機関に送る工程であって、該検証機関はレーザーで原石に所有者アイコンを刻印するか、採掘国の認証及び原石を採集するための適用可能な国際規格の承認を得るために非侵襲的識別技術を利用し、また採掘国を認証し規格の承認を付与する書類を与えるところの工程と、(g)内部統制の下で、検証機関が各研磨済み原石を調べ、カット、色、透明度及びカラットの少なくともひとつの品質レーティングを各研磨済原石に割り当てる工程と、(h)内部統制の下で、検証機関が特有の識別情報の各研磨済み原石に対して非侵襲的識別技術を適用し、かつ、データベース内の非侵襲的識別技術からの情報を、各研磨済み原石の品質レーティングを記述する指定情報レコードと関連付ける工程と、(i)内部統制の下で、検証機関が採掘国並びにカット、色、透明度及びカラットの少なくともひとつに従う適用可能な法的規格の承認を与える肯定的記述をレポートで示す各研磨済み原石に対する品質レポートを発行する工程とから成る。
【００４６】
他の最も広い定義によれば、本発明は、採掘から市場まで、原石を検証し、ラベリングし、レーティングするための処理であり、当該処理は(a)鉱山で粗い原石を採集すること及び採集した粗い原石をバッチに分割するのを監視する工程であって、その後そのバッチは購入者に販売用に提供され、購入者は購入した原石のソースの証明書を受け取るところの工程と、(b)購入者により、購入された原石のバッチがカット及び研磨され、研磨済み原石が購入したものと同じであることを保証するために研磨処理が監視されるところの工程と、(c)内部統制の下で、購入者が研磨済み原石を検証機関へ送る工程であって、該検証機関は採掘国を証明するべく原石を識別するための手段を与え、また採掘国を証明する書類を付与するところの工程と、(d)内部統制の下で、検証機関が各研磨済み原石を調べ、カット、色、透明度及びカラットの少なくともひとつの品質レーティングを各研磨済み原石に割り当てる工程と、(e)内部統制の下で、検証機関が特有の情報の各研磨済み原石の識別手段を得て、データベース内の情報を、各研磨済み原石の品質レーティングを記述する指定情報ソースと関連付ける工程と、(f)内部統制の下で、検証機関がカット、色、透明度及びカラットの少なくともひとつに従う採掘国をレポートで示す各研磨済み原石に対する品質レポートを発行する工程とから成る。
【００４７】
もちろん、本発明はここに開示された任意の特定な形式、任意の特定の実施例または任意の特定の使用に限定されるものではない。特許請求の範囲に記載された発明の思想及び態様から離れることなく、さまざまな修正が可能であり、ここで説明された装置または方法は例示に過ぎず、本発明が実施または実行可能なすべての形式及び修正を示したものではないことが理解されよう。
【図面の簡単な説明】
【００４８】
【図１Ａ】図１Aは、採掘国、キンバリープロセスの承認及びダイヤモンドの品質レーティングのすべてまたは任意の部分を示すべく、鉱山から市場まで、ダイヤモンドを認証し、ラベリングし、かつレーティングするための本発明の処理を示すブロック図である。
【図１Ｂ】図１Bは、採掘国、キンバリープロセスの承認及びダイヤモンドの品質レーティングのすべてまたは任意の部分を示すべく、鉱山から市場まで、ダイヤモンドを認証し、ラベリングし、かつレーティングするための本発明の処理を示すブロック図である。
【図２Ａ】図２Aは、採掘国、キンバリープロセスの承認及び原石の品質レーティングのすべてまたは任意の部分を示すべく、鉱山から市場まで、原石を認証し、ラベリングし、かつレーティングするための本発明の処理を示すブロック図である。
【図２Ｂ】図２Bは、採掘国、キンバリープロセスの承認及び原石の品質レーティングのすべてまたは任意の部分を示すべく、鉱山から市場まで、原石を認証し、ラベリングし、かつレーティングするための本発明の処理を示すブロック図である。
【図１Ａ】
2007012073.tif 000003
【図１Ｂ】
2007012073.tif 000004
【図２Ａ】
2007012073.tif 000005
【図２Ｂ】
2007012073.tif 000006
【外国語明細書】
2007012073.tif 000007
2007012073.tif 000008
2007012073.tif 000009
2007012073.tif 000010
2007012073.tif 000011
2007012073.tif 000012
2007012073.tif 000013
2007012073.tif 000014
2007012073.tif 000015
2007012073.tif 000016
2007012073.tif 000017
2007012073.tif 000018
2007012073.tif 000019
2007012073.tif 000020
2007012073.tif 000021
2007012073.tif 000022
2007012073.tif 000023
2007012073.tif 000024
2007012073.tif 000025
2007012073.tif 000026
2007012073.tif 000027
2007012073.tif 000028
2007012073.tif 000029
2007012073.tif 000030
2007012073.tif 000031
2007012073.tif 000032
2007012073.tif 000033
2007012073.tif 000034
2007012073.tif 000035
2007012073.tif 000036
2007012073.tif 000037
2007012073.tif 000038
2007012073.tif 000039
2007012073.tif 000040
2007012073.tif 000041
2007012073.tif 000042
2007012073.tif 000043
2007012073.tif 000044
2007012073.tif 000045
2007012073.tif 000046